【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
画像情報として表示される領域のうち、文字が含まれる領域を示す文字領域と、文字が含まれていない領域を示す文字以外領域と、を特定する特定手段と、
前記特定手段により特定された前記文字領域及び前記文字以外領域のいずれか一つ以上を、電子透かし情報が埋め込まれた埋込領域として、当該埋込領域の改竄を検出する改竄検出手段と、
前記改竄検出手段により改竄を検出した場合に、改竄が検出された前記埋込領域に対して、所定の変更処理を行う変更処理手段と、
を備えたことを特徴とする改竄検出装置。
【請求項２】
画像情報に埋め込まれた電子透かしを用いて該画像情報の改竄を検出する改竄検出手段と、
前記改竄検出手段により前記画像情報の改竄を検出しなかった場合、前記画像情報を出力し、前記改竄検出手段により前記画像情報の改竄を検出した場合、前記画像情報の出力を抑止する出力処理手段と、
を備えたことを特徴とする改竄検出装置。
【請求項３】
前記改竄検出手段は、前記画像情報から、前記電子透かし情報が埋め込まれたか否かを示す埋込有無情報を抽出し、該埋込有無情報により前記電子透かし情報が埋め込まれていたか否かを判断し、該電子透かし情報が埋め込まれていたと判断したにもかかわらず前記画像情報に電子透かし情報が埋め込まれていない場合に、改竄を検出したと判断することを特徴とする請求項１又は２に記載の改竄検出装置。
【請求項４】
前記変更処理手段により前記所定の変更処理が行われた前記埋込領域を含む前記画像情報を出力する出力処理手段、をさらに備えたことを特徴とする請求項１に記載の改竄検出装置。
【請求項５】
前記変更処理手段は、前記改竄検出手段により改竄を検出した場合に、改竄が検出された前記埋込領域を、任意の色を塗布すること、
を特徴とする請求項１に記載の改竄検出装置。
【請求項６】
前記変更処理手段は、前記改竄検出手段により改竄を検出した場合に、改竄が検出された前記埋込領域に表された情報を消去すること、
を特徴とする請求項１に記載の改竄検出装置。
【請求項７】
前記改竄検出手段により改竄が検出された場合に、所定の警告を行う警告手段を、さらに備えたことを特徴とする請求項１又は２に記載の改竄検出装置。
【請求項８】
他の通信装置から前記画像情報を受信する画像受信手段と、をさらに備え、
前記改竄検出手段は、前記画像受信手段により受信した前記画像情報の改竄を検出すること、
を特徴とする請求項１又は２に記載の改竄検出装置。
【請求項９】
前記改竄検出手段が改竄を検出した場合に、前記他の通信装置に所定の警告を送信する警告送信手段を、さらに備えたことを特徴とする請求項８に記載の改竄検出装置。
【請求項１０】
前記画像受信手段により受信された前記画像情報を記憶する画像記憶手段と、をさらに備え、
前記改竄検出手段は、前記画像記憶手段に記憶された前記画像情報に対して改竄を検出すること、
を特徴とする請求項８又は９に記載の改竄検出装置。
【請求項１１】
特定手段が、画像情報として表示される領域のうち、文字が含まれる領域を示す文字領域と、文字が含まれていない領域を示す文字以外領域と、を特定する特定ステップと、
改竄検出手段が、前記特定ステップにより特定された前記文字領域及び前記文字以外領域のいずれか一つ以上を、電子透かし情報が埋め込まれた埋込領域として、当該埋込領域の改竄を検出する改竄検出ステップと、
変更処理手段が、前記改竄検出ステップにより改竄を検出した場合に、改竄が検出された前記埋込領域に対して、所定の変更処理を行う変更処理ステップと、
を有することを特徴とする改竄検出方法。
【請求項１２】
画像情報として表示される領域のうち、文字が含まれる領域を示す文字領域と、文字が含まれていない領域を示す文字以外領域と、を特定する特定ステップと、
前記特定ステップにより特定された前記文字領域及び前記文字以外領域のいずれか一つ以上を、電子透かし情報が埋め込まれた埋込領域として、当該埋込領域の改竄を検出する改竄検出ステップと、
前記改竄検出ステップにより改竄を検出した場合に、改竄が検出された前記埋込領域に対して、所定の変更処理を行う変更処理ステップと、
をコンピュータで実行させることを特徴とする改竄検出プログラム。
【手続補正２】
【補正対象書類名】明細書
【補正対象項目名】発明の名称
【補正方法】変更
【補正の内容】
【発明の名称】改竄検出装置、改竄検出方法及び改竄検出プログラム
【手続補正３】
【補正対象書類名】明細書
【補正対象項目名】０００１
【補正方法】変更
【補正の内容】
【０００１】
本発明は、改竄検出装置、改竄検出方法及び改竄検出プログラムに関するものであり、特に画像情報に埋め込まれた情報に基づいて出力を制御する技術に関するものである。
【手続補正４】
【補正対象書類名】明細書
【補正対象項目名】０００６
【補正方法】変更
【補正の内容】
【０００６】
本発明は、上記に鑑みてなされたものであって、改竄を検出された画像データの出力を制御して、改竄された画像データの漏洩を防止することを可能とする改竄検出装置、改竄検出方法及び改竄検出プログラムを提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
上述した課題を解決し、目的を達成するために、請求項１にかかる発明は、画像情報として表示される領域のうち、文字が含まれる領域を示す文字領域と、文字が含まれていない領域を示す文字以外領域と、を特定する特定手段と、前記特定手段により特定された前記文字領域及び前記文字以外領域のいずれか一つ以上を、電子透かし情報が埋め込まれた埋込領域として、当該埋込領域の改竄を検出する改竄検出手段と、前記改竄検出手段により改竄を検出した場合に、改竄が検出された前記埋込領域に対して、所定の変更処理を行う変更処理手段と、を備えたことを特徴とする。
【手続補正７】
【補正対象書類名】明細書
【補正対象項目名】０００９
【補正方法】変更
【補正の内容】
【０００９】
また、請求項２にかかる発明は、画像情報に埋め込まれた電子透かしを用いて該画像情報の改竄を検出する改竄検出手段と、前記改竄検出手段により前記画像情報の改竄を検出しなかった場合、前記画像情報を出力し、前記改竄検出手段により前記画像情報の改竄を検出した場合、前記画像情報の出力を抑止する出力処理手段と、を備えたことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
また、請求項３にかかる発明は、請求項１又は２にかかる発明において、前記改竄検出手段は、前記画像情報から、前記電子透かし情報が埋め込まれたか否かを示す埋込有無情報を抽出し、該埋込有無情報により前記電子透かし情報が埋め込まれていたか否かを判断し、該電子透かし情報が埋め込まれていたと判断したにもかかわらず前記画像情報に電子透かし情報が埋め込まれていない場合に、改竄を検出したと判断することを特徴とする。
【手続補正１１】
【補正対象書類名】明細書
【補正対象項目名】００１３
【補正方法】変更
【補正の内容】
【００１３】
また、請求項４にかかる発明は、請求項１にかかる発明において、前記変更処理手段により前記所定の変更処理が行われた前記埋込領域を含む前記画像情報を出力する出力処理手段、をさらに備えたことを特徴とする。
【手続補正１２】
【補正対象書類名】明細書
【補正対象項目名】００１４
【補正方法】変更
【補正の内容】
【００１４】
また、請求項５にかかる発明は、請求項１にかかる発明において、前記変更処理手段は、前記改竄検出手段により改竄を検出した場合に、改竄が検出された前記埋込領域を、該埋込領域の記載が視覚で認識できないよう任意の色で塗布すること、を特徴とする。
【手続補正１３】
【補正対象書類名】明細書
【補正対象項目名】００１５
【補正方法】変更
【補正の内容】
【００１５】
また、請求項６にかかる発明は、請求項１にかかる発明において、前記変更処理手段は、前記改竄検出手段により改竄を検出した場合に、改竄が検出された前記埋込領域に表された情報を消去すること、を特徴とする。
【手続補正１４】
【補正対象書類名】明細書
【補正対象項目名】００１６
【補正方法】変更
【補正の内容】
【００１６】
また、請求項７にかかる発明は、請求項１又は２にかかる発明において、前記改竄検出手段により改竄が検出された場合に、所定の警告を行う警告手段を、さらに備えたことを特徴とする。
【手続補正１５】
【補正対象書類名】明細書
【補正対象項目名】００１７
【補正方法】変更
【補正の内容】
【００１７】
また、請求項８にかかる発明は、請求項１又は２にかかる発明において、他の通信装置から前記画像情報を受信する画像受信手段と、をさらに備え、前記改竄検出手段は、前記画像受信手段により受信した前記画像情報の改竄を検出すること、を特徴とする。
【手続補正１６】
【補正対象書類名】明細書
【補正対象項目名】００１８
【補正方法】変更
【補正の内容】
【００１８】
また、請求項９にかかる発明は、請求項８にかかる発明において、前記改竄検出手段が改竄を検出した場合に、前記他の通信装置に所定の警告を送信する警告送信手段を、さらに備えたことを特徴とする。
【手続補正１７】
【補正対象書類名】明細書
【補正対象項目名】００１９
【補正方法】変更
【補正の内容】
【００１９】
また、請求項１０にかかる発明は、請求項８又は９にかかる発明において、前記画像受信手段により受信された前記画像情報を記憶する画像記憶手段と、をさらに備え、前記改竄検出手段は、前記画像記憶手段に記憶された前記画像情報に対して改竄を検出すること、を特徴とする。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
また、請求項１１にかかる発明は、特定手段が、画像情報として表示される領域のうち、文字が含まれる領域を示す文字領域と、文字が含まれていない領域を示す文字以外領域と、を特定する特定ステップと、改竄検出手段が、前記特定ステップにより特定された前記文字領域及び前記文字以外領域のいずれか一つ以上を、電子透かし情報が埋め込まれた埋込領域として、当該埋込領域の改竄を検出する改竄検出ステップと、変更処理手段が、前記改竄検出ステップにより改竄を検出した場合に、改竄が検出された前記埋込領域に対して、所定の変更処理を行う変更処理ステップと、を有することを特徴とする。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】変更
【補正の内容】
【００３３】
また、請求項１２にかかる発明は、画像情報として表示される領域のうち、文字が含まれる領域を示す文字領域と、文字が含まれていない領域を示す文字以外領域と、を特定する特定ステップと、前記特定ステップにより特定された前記文字領域及び前記文字以外領域のいずれか一つ以上を、電子透かし情報が埋め込まれた埋込領域として、当該埋込領域の改竄を検出する改竄検出ステップと、前記改竄検出ステップにより改竄を検出した場合に、改竄が検出された前記埋込領域に対して、所定の変更処理を行う変更処理ステップと、をコンピュータで実行させることを特徴とする。
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】変更
【補正の内容】
【００３５】
また、請求項１にかかる発明によれば、文字領域、文字以外領域のいずれか１つ以上に埋め込まれた電子透かしを用いて改竄の検出を行うことで、当該画像情報の作成者が、改竄を抑止したい領域に限った改竄の抑止、及び改竄された画像情報の漏洩の防止が可能という効果を奏する。
【手続補正３４】
【補正対象書類名】明細書
【補正対象項目名】００３６
【補正方法】変更
【補正の内容】
【００３６】
また、請求項２にかかる発明によれば、改竄を検出した場合には画像情報は出力されないため、改竄された情報の漏洩を防止することが可能という効果を奏する。
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】変更
【補正の内容】
【００３９】
また、請求項３にかかる発明によれば、埋込有無情報により、画像情報に改竄の検知に必要な情報が埋め込まれていたか否かを判断することが可能となるため、画像情報を大幅に改竄された場合でも、改竄を検出することが可能となるという効果を奏する。
【手続補正３８】
【補正対象書類名】明細書
【補正対象項目名】００４０
【補正方法】変更
【補正の内容】
【００４０】
また、請求項４にかかる発明によれば、所定の変更処理が行われた埋込領域を含む画像情報を出力することで、出力した画像情報の利用が容易になるという効果を奏する。
【手続補正３９】
【補正対象書類名】明細書
【補正対象項目名】００４１
【補正方法】変更
【補正の内容】
【００４１】
また、請求項５にかかる発明によれば、任意の色を塗布することとしたので、利用者が改竄された埋込領域を把握できると共に、視認が困難になるので誤った情報の使用を防止することが可能という効果を奏する。
【手続補正４０】
【補正対象書類名】明細書
【補正対象項目名】００４２
【補正方法】変更
【補正の内容】
【００４２】
また、請求項６にかかる発明によれば埋込領域に表された情報を消去することとしたので、利用者が改竄された領域を把握できると共に、内容を把握することができなくなるので誤った情報の使用を防止することが可能という効果を奏する。
【手続補正４１】
【補正対象書類名】明細書
【補正対象項目名】００４３
【補正方法】変更
【補正の内容】
【００４３】
また、請求項７にかかる発明によれば、利用者に改竄が行われていた場合に警告することで、利用者に改竄されていること認識させることで、改竄された情報の漏洩を防止することが可能という効果を奏する。
【手続補正４２】
【補正対象書類名】明細書
【補正対象項目名】００４４
【補正方法】変更
【補正の内容】
【００４４】
また、請求項８にかかる発明によれば、他の通信装置から出力要求がなされた画像情報の改竄を検出し、改竄されていた場合の出力を制御することで、他の通信装置から出力処理の要求があった場合も改竄の検知を行うので改竄された情報の漏洩を防止すると共に利便性が向上するという効果を奏する。
【手続補正４３】
【補正対象書類名】明細書
【補正対象項目名】００４５
【補正方法】変更
【補正の内容】
【００４５】
また、請求項９にかかる発明によれば、他の通信装置に対して所定の警告を送信することで、他の通信装置の利用者に対して、画像情報が改竄されていることを知覚させることで、改竄された情報の漏洩を防止するという効果を奏する。
【手続補正４４】
【補正対象書類名】明細書
【補正対象項目名】００４６
【補正方法】変更
【補正の内容】
【００４６】
また、請求項１０にかかる発明によれば、画像記憶手段に記憶した画像情報に対して改竄されたか否か検出するため、記憶された画像情報の信頼性が向上すると共に、利用者が画像記憶手段に記憶された画像情報を容易に利用できるので利便性が向上するという効果を奏する。
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】変更
【補正の内容】
【００４８】
また、請求項１１にかかる発明によれば、文字領域、文字以外領域のいずれか１つ以上に埋め込まれた電子透かしを用いて改竄の検出を行うことで、当該画像情報の作成者が、改竄を抑止したい領域に限った改竄の抑止、及び改竄された画像情報の漏洩の防止が可能という効果を奏する。
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】００５６
【補正方法】削除
【補正の内容】
【手続補正５５】
【補正対象書類名】明細書
【補正対象項目名】００５７
【補正方法】削除
【補正の内容】
【手続補正５６】
【補正対象書類名】明細書
【補正対象項目名】００５８
【補正方法】削除
【補正の内容】
【手続補正５７】
【補正対象書類名】明細書
【補正対象項目名】００５９
【補正方法】削除
【補正の内容】
【手続補正５８】
【補正対象書類名】明細書
【補正対象項目名】００６０
【補正方法】変更
【補正の内容】
【００６０】
また、請求項１２にかかるプログラムは、コンピュータに読み取らせて実行することによって、文字領域、文字以外領域のいずれか１つ以上に埋め込まれた電子透かしを用いて改竄の検出を行うことで、当該画像情報の作成者が、改竄を抑止したい領域に限った改竄の抑止、及び改竄された画像情報の漏洩の防止が可能という効果を奏する。
【手続補正５９】
【補正対象書類名】明細書
【補正対象項目名】０１８７
【補正方法】変更
【補正の内容】
【０１８７】
以上のように、本発明にかかる改竄検出装置、改竄検出方法及び改竄検出プログラムは、画像データに対する電子透かしの埋め込みに有用であり、特に、改竄を検知した場合での画像データの出力の制御に適している。